(57)【要約】【課題】  精細に制御することなくミシン目が形成されながらもアンテナが断線することを防止でき、また、大量生産した場合であっても不良品が発生することがなく、さらには、アンテナが断線しないようにミシン目が形成されながらも、そのミシン目が断裁される際にベース基材が破壊される可能性を低減することができるとともに、断裁部分をきれいに断裁する。【解決手段】  ポイントカード１０の一部を利用方法に応じて切り離すための等間隔からなるミシン目４が形成された領域において、ＩＣチップ１と接続されてＩＣチップ１に対して非接触通信を行うためのアンテナ２を、互いに並列に接続されるように複数線に分岐する。【選択図】図１
2006209653.tif 000002
【特許請求の範囲】
【請求項１】
ベース基材上に非接触通信用のアンテナが形成されてなる非接触通信用基材であって、
前記アンテナの少なくとも一部が、互いに並列に接続されるように複数線に分岐し、
前記ベース基材の少なくとも前記アンテナが複数線に分岐されて形成された領域に、前記複数線に分岐されたアンテナのうち少なくとも１本が切断されないようにミシン目が形成されている非接触通信用基材。
【請求項２】
請求項１に記載の非接触通信用基材において、
前記アンテナを介して非接触通信可能なＩＣチップが該アンテナに接続されて前記ベース基材に設けられていることを特徴とする非接触通信用基材。
【請求項３】
請求項１に記載の非接触通信用基材において、
送受信用アンテナを具備し、該送受信用アンテナを用いて非接触通信可能なＩＣチップが前記ベース基材に設けられ、
前記アンテナが、前記送受信用アンテナと非接触通信を行うことを特徴とする非接触通信用基材。
【請求項４】
請求項１乃至３のいずれか１項に記載の非接触通信用基材において、
前記ベース基材に貼付され、中央部分に形成された穴部にて支持されて回転することにより情報が読み取られる情報記録ディスクと、
前記情報記録ディスクの前記ベース基材が貼付された面に、前記情報記録ディスク及び前記ベース基材を覆うように貼付された保護シートとを有し、
前記ミシン目は、前記穴部の外周に沿う領域に形成されていることを特徴とする非接触通信用基材。
【請求項５】
ベース基材と、該ベース基材上に形成され、少なくとも一部が互いに並列に接続されるように複数線に分岐された非接触通信用のアンテナと、前記ベース基材の少なくとも前記アンテナが複数線に分岐されて形成された領域に、前記複数線に分岐されたアンテナのうち少なくとも１本が切断されないように形成されたミシン目とを有してなる非接触通信用基材の製造方法であって、
前記ベース基材上に、少なくとも一部が互いに並列に接続されるように複数線に分岐した前記アンテナを形成する工程と、
前記ベース基材の少なくとも前記アンテナが複数線に分岐されて形成された領域に、前記複数線に分岐されたアンテナのうち少なくとも１本が切断されないように前記ミシン目を形成する工程とを有する非接触通信用基材の製造方法。
【請求項６】
ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材の少なくとも前記アンテナが複数線に分岐されて形成された領域に、前記複数線に分岐されたアンテナのうち少なくとも１本が切断されないように形成されたミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材を、前記アンテナのうち複数線に分岐された部分のうち少なくとも一部が前記穴部の外側に位置するように前記情報記録ディスクに貼付する工程と、
前記情報記録ディスクの前記ベース基材が貼付された面に、前記情報記録ディスク及び前記ベース基材を覆うように前記保護シートを貼付する工程と、
前記情報記録ディスクの前記保護シートが貼付された側から、前記保護シート及び前記ベース基材を貫通するように、かつ、前記アンテナのうち複数線に分岐された部分に重なるように前記ミシン目を形成する工程とを有する非接触通信用基材の製造方法。
【請求項７】
ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材の少なくとも前記アンテナが複数線に分岐されて形成された領域に、前記複数線に分岐されたアンテナのうち少なくとも１本が切断されないように形成されたミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材に前記保護シートを貼付する工程と、
前記保護シートが貼付された前記ベース基材を、前記アンテナのうち複数線に分岐された部分のうち少なくとも一部が前記穴部の外側に位置するように前記情報記録ディスクに貼付する工程と、
前記情報記録ディスクの前記保護シートが貼付された側から、前記保護シート及び前記ベース基材を貫通するように、かつ、前記アンテナのうち複数線に分岐された部分に重なるように前記ミシン目を形成する工程とを有する非接触通信用基材の製造方法。
【請求項８】
ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材の少なくとも前記アンテナが複数線に分岐されて形成された領域に、前記複数線に分岐されたアンテナのうち少なくとも１本が切断されないように形成されたミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材に前記保護シートを貼付する工程と、
前記保護シート及び前記ベース基材を貫通するように、かつ、前記アンテナのうち複数線に分岐された部分に重なるように前記ミシン目を形成する工程と、
前記保護シートが貼付された前記ベース基材を、前記ミシン目が前記穴部の外側に位置するように前記情報記録ディスクに貼付する工程とを有する非接触通信用基材の製造方法。
【発明の詳細な説明】
【技術分野】
【０００１】
本発明は、ポイントカードとして用いられる非接触通信用基材及びその製造方法に関する。
【背景技術】
【０００２】
従来より、パチンコ店等の遊技場において、客が獲得したパチンコ玉やコインを特殊景品に交換し、この特殊景品と引き換えに客に現金を支払うことが行われている。また、このような特殊景品においては、換金の際の処理時間を短縮したり、偽造を防止したりするために、非接触通信が可能なタグを内蔵したものが考えられている（例えば、特許文献１参照。）。このような技術は、上述したような特殊景品に限らず、客が買い物等によって獲得したポイントを、それ相当の価値を有するものと交換するポイント還元にも利用することができる。
【０００３】
また、近年においては、ポイントが記録されるポイントカードに、ゲームや音楽等が記録されたＣＤ−ＲＯＭを一体化し、それにより、客が獲得したポイントを用いたポイント還元における選択の幅を広げることが考えられている。
【０００４】
図９は、ポイント還元に用いられる従来の非接触通信用基材の一例となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレット３０６の構造を示す図である。
【０００５】
本従来例は図９に示すように、ＰＥＴ基材３０３上に非接触通信用のコイル状アンテナ３０２が形成されるとともに、このアンテナ３０２を介して非接触通信可能なＩＣチップ３０１がアンテナ３０２と接続されてＰＥＴ基材３０３上に搭載されてなるインレット３０６が、光学的に情報が記録された光学的情報記録部３０５ａを有するＣＤ−ＲＯＭ部３０５と、ＰＥＴ基材３０８とに挟み込まれ、粘着剤３０９ａ，３０９ｂによってそれぞれ接着されて構成されている。これにより、インレット３０６のうち、アンテナ３０２の一部及びＩＣチップ３０１が設けられた領域が、ＣＤ−ＲＯＭ部３０５の穴部３０５ｂから露出している。また、その穴部３０５ｂの外側の領域においては、穴部３０５ｂの外周に沿うように、かつ、そのカット部がアンテナ３０２上に形成されないように、ＰＥＴ基材３０３，３０８を貫通したミシン目３０４が形成されている。
【０００６】
上記のように構成されたポイントカード３１０においては、外部に設けられた情報書込／読出装置（不図示）に近接させることにより、情報書込／読出装置からの電磁誘導によってアンテナ３０２に電流が流れ、この電流がＩＣチップ３０１に供給され、それにより、非接触状態において、情報書込／読出装置からＩＣチップ３０１に情報が書き込まれたり、ＩＣチップ３０１に書き込まれた情報が情報書込／読出装置にて読み出されたりする。そのため、ポイント情報をＩＣチップ３０１に書き込んでおいたり、ＩＣチップ３０１に書き込まれたカードＩＤとポイント情報とを対応づけて登録しておいたりすれば、その後、ＩＣチップ３０１からポイント情報やカードＩＤを読み出すことにより、このポイントカード３１０によるポイントを認識することができ、ポイントに応じた特典を付与する等といったポイント還元を行うことができる。
【０００７】
また、ＣＤ−ＲＯＭ部３０５の光学的情報記録部３０５ａに、ポイントに応じたゲームや音楽等の情報を光学的に記録しておけば、その後、このポイントカード３１０を受け取った者が、パーソナルコンピュータ等において光学的情報記録部３０５ａに記録された情報を読み出し、ゲームを楽しんだり、音楽を再生したりすることができる。なお、その場合、ＰＥＴ基材３０３，３０８に形成されたミシン目３０４を断裁し、ポイントカード３１０をパーソナルコンピュータ等に挿入することになる。ここで、ミシン目３０４を断裁すると、ＩＣチップ３０１がポイントカード３１０から切り離され、ＩＣチップ３０１に書き込まれた情報を読み出すことができなくなる。そのため、このポイントカード３１０においては、ＩＣチップ３０１に書き込まれた情報を用いてのポイント還元と、ＣＤ−ＲＯＭ部３０５の光学的情報記録部３０５ａに記録されたゲームや音楽の提供とのいずれか一方のみを選択的に提供することになる。
【特許文献１】特開２００２−２１０７６１号公報
【発明の開示】
【発明が解決しようとする課題】
【０００８】
上述したような非接触通信用基材においては、ＩＣチップに書き込まれた情報を用いてのポイント還元と、ＣＤ−ＲＯＭ部に記録されたゲームや音楽の提供とのいずれか一方のみを選択的に提供するために、ＣＤ−ＲＯＭ部の穴部内にアンテナの一部及びＩＣチップが設けられ、かつ、ＣＤ−ＲＯＭ部に記録されたゲームや音楽の提供を受ける場合にこの領域を断裁するためのミシン目が形成されているが、ミシン目を構成するカット部がアンテナ上に形成されてしまうと、アンテナが断線したり、アンテナが亀裂が入ったりして、ミシン目を断裁していない状態でもＩＣチップに対する情報の書き込みや読み出しを行うことができなくなってしまう虞れがある。
【０００９】
そこで、カット部がアンテナ上に形成されないようにミシン目の位置を調節することが考えられるが、アンテナが微細な線から構成されている場合、ミシン目を形成するために精細な制御が必要となってしまい、また、例え精細な制御によりミシン目の位置を調節した場合であっても、ミシン目の形成位置には多少の誤差が生じるため、大量生産すると、不良品が大量にできてしまうという問題点がある。
【００１０】
また、図９に示したもののように、カット部がアンテナ上に形成されないようにミシン目の形状を調節することが考えられるが、その場合、カット部を除いた部分が必要以上に接続されていて、ミシン目で囲まれた領域を切り離す際に必要以上の力が加わり、その力によってベース基材全体が破壊されてしまう虞れがある。また、カット部を除いた部分が必要以上に接続されていることにより、ミシン目を断裁した場合に、断裁部分がきれいな断面になるように断裁されず、それにより断裁部分に凹凸が生じ、特に、上述したように、ミシン目で囲まれた領域を切り離した後に、ＣＤやＤＶＤ等の回転ディスクとして使用する場合、回転動作に支障をきたし、データ読み取り動作を正常に行うことができなくなってしまう虞れがある。
【００１１】
また、アンテナのうちミシン目が形成される部分のみベタパターンとすることも考えられるが、ミシン目はアンテナが形成された後にベース基材上から圧力をかけて形成するため、圧力がかけられた領域から亀裂が入り、上記同様に、ミシン目を断裁していない状態でもＩＣチップに対する情報の書き込みや読み出しを行うことができなくなってしまう虞れがある。
【００１２】
本発明は、上述したような従来の技術が有する問題点に鑑みてなされたものであって、精細に制御することなくミシン目が形成されながらもアンテナが断線することを防止でき、また、大量生産した場合であっても不良品が発生することがなく、さらには、アンテナが断線しないようにミシン目が形成されながらも、そのミシン目が断裁される際にベース基材が破壊される可能性を低減することができるとともに、断裁部分をきれいに断裁することができる非接触通信用基材及びその製造方法を提供することを目的とする。
【課題を解決するための手段】
【００１３】
上記目的を達成するために本発明は、
ベース基材上に非接触通信用のアンテナが形成されてなる非接触通信用基材であって、
前記アンテナの少なくとも一部が、互いに並列に接続されるように複数線に分岐し、
前記ベース基材の少なくとも前記アンテナが複数線に分岐されて形成された領域に、前記複数線に分岐されたアンテナのうち少なくとも１本が切断されないようにミシン目が形成されている。
【００１４】
また、前記アンテナを介して非接触通信可能なＩＣチップが該アンテナに接続されて前記ベース基材に設けられていることを特徴とする。
【００１５】
また、送受信用アンテナを具備し、該送受信用アンテナを用いて非接触通信可能なＩＣチップが前記ベース基材に設けられ、
前記アンテナが、前記送受信用アンテナと非接触通信を行うことを特徴とする。
【００１６】
また、前記ベース基材に貼付され、中央部分に形成された穴部にて支持されて回転することにより情報が読み取られる情報記録ディスクと、
前記情報記録ディスクの前記ベース基材が貼付された面に、前記情報記録ディスク及び前記ベース基材を覆うように貼付された保護シートとを有し、
前記ミシン目は、前記穴部の外周に沿う領域に形成されていることを特徴とする。
【００１７】
上記のように構成された本発明においては、ベース基材に形成されたミシン目を断裁した場合であっても、アンテナのうちミシン目が形成された領域は、互いに並列に接続されるように複数線に分岐され、また、複数線に分岐されたアンテナのうち少なくとも１本が切断されないようにミシン目が形成されているので、アンテナが断線することがない。また、アンテナが断線する可能性が低減しながらも、そのミシン目が断裁される際、必要以上の力が加わることがなく、かつ、断裁部分の断面がきれいになるように断裁される。
【００１８】
また、ベース基材と、該ベース基材上に形成され、少なくとも一部が互いに並列に接続されるように複数線に分岐された非接触通信用のアンテナと、前記ベース基材の少なくとも前記アンテナが複数線に分岐されて形成された領域に、前記複数線に分岐されたアンテナのうち少なくとも１本が切断されないように形成されたミシン目とを有してなる非接触通信用基材の製造方法であって、
前記ベース基材上に、少なくとも一部が互いに並列に接続されるように複数線に分岐した前記アンテナを形成する工程と、
前記ベース基材の少なくとも前記アンテナが複数線に分岐されて形成された領域に、前記複数線に分岐されたアンテナのうち少なくとも１本が切断されないように前記ミシン目を形成する工程とを有する。
【００１９】
また、ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材の少なくとも前記アンテナが複数線に分岐されて形成された領域に、前記複数線に分岐されたアンテナのうち少なくとも１本が切断されないように形成されたミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材を、前記アンテナのうち複数線に分岐された部分のうち少なくとも一部が前記穴部の外側に位置するように前記情報記録ディスクに貼付する工程と、
前記情報記録ディスクの前記ベース基材が貼付された面に、前記情報記録ディスク及び前記ベース基材を覆うように前記保護シートを貼付する工程と、
前記情報記録ディスクの前記保護シートが貼付された側から、前記保護シート及び前記ベース基材を貫通するように、かつ、前記アンテナのうち複数線に分岐された部分に重なるように前記ミシン目を形成する工程とを有する。
【００２０】
また、ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材の前記アンテナが複数線に分岐されて形成された領域に、前記複数線に分岐されたアンテナのうち少なくとも１本が切断されないように形成されたミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材に前記保護シートを貼付する工程と、
前記保護シートが貼付された前記ベース基材を、前記アンテナのうち複数線に分岐された部分のうち少なくとも一部が前記穴部の外側に位置するように前記情報記録ディスクに貼付する工程と、
前記情報記録ディスクの前記保護シートが貼付された側から、前記保護シート及び前記ベース基材を貫通するように、かつ、前記アンテナのうち複数線に分岐された部分に重なるように前記ミシン目を形成する工程とによって製造することも考えられる。
【００２１】
また、ベース基材と、該ベース基材上に形成され、少なくとも一部が互いに並列に接続されるように複数線に分岐された非接触通信用のアンテナと、前記アンテナに接続されて前記ベース基材上に設けられ、前記アンテナを介して非接触通信可能なＩＣチップと、前記ベース基材のうち少なくとも前記アンテナが複数線に分岐されて形成された領域に、前記複数線に分岐されたアンテナのうち少なくとも１本が切断されないように形成された等間隔からなるミシン目と、前記ベース基材に貼付され、中央部分に形成された穴部にて支持されて回転することにより情報が読み取られる情報記録ディスクと、前記情報記録ディスクの前記ベース基材が貼付された面に、前記情報記録ディスク及び前記ベース基材を覆うように貼付された保護シートとを有し、前記ミシン目が、前記穴部の外周に沿う領域に形成された非接触通信用基材の製造方法であって、
前記ベース基材上に、少なくとも一部が互いに並列に接続されるように複数線に分岐した前記アンテナを形成する工程と、
前記アンテナが形成された前記ベース基材に前記保護シートを貼付する工程と、
前記保護シート及び前記ベース基材を貫通するように、かつ、前記アンテナのうち複数線に分岐された部分に重なるように前記ミシン目を形成する工程と、
前記保護シートが貼付された前記ベース基材を、前記ミシン目が前記穴部の外側に位置するように前記情報記録ディスクに貼付する工程とによって製造することも考えられる。
【発明の効果】
【００２２】
以上説明したように本発明においては、ベース基材上に形成されたアンテナの少なくとも一部が、互いに並列に接続されるように複数線に分岐し、また、ベース基材の少なくともアンテナが複数線に分岐されて形成された領域に、複数線に分岐されたアンテナのうち少なくとも１本が切断されないようにミシン目が形成されているため、ベース基材のアンテナが形成された領域にミシン目が形成されながらも、アンテナが断線することを防止できる。また、大量生産した場合であっても不良品が発生することがなく、さらには、アンテナが断線しないようにミシン目が形成されながらも、そのミシン目が断裁される際にベース基材が破壊される可能性を低減することができるとともに、断裁部分をきれいに断裁することができる。
【発明を実施するための最良の形態】
【００２３】
以下に、本発明の実施の形態について図面を参照して説明する。
【００２４】
（第１の実施の形態）
図１は、本発明の非接触通信用基材の第１の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレット６の構造を示す図、（ｄ）は（ａ）に示したＢ部拡大図である。
【００２５】
本形態は図１に示すように、ベース基材となるＰＥＴ基材３上に非接触通信用のコイル状アンテナ２が形成されるとともに、このアンテナ２を介して非接触通信可能なＩＣチップ１がアンテナ２と接続されてＰＥＴ基材３上に搭載されてなるインレット６が、光学的に情報が記録された光学的情報記録部５ａを有し、中央部分に形成された穴部５ｂにて支持されて回転することにより光学的情報記録部５ａに記録された情報が読み取られる情報記録ディスクであるＣＤ−ＲＯＭ部５と、保護シートであるＰＥＴ基材８とに挟み込まれ、粘着剤９ａ，９ｂによってそれぞれに接着されて構成されている。これにより、インレット６のうち、アンテナ２の一部及びＩＣチップ１が設けられた領域が、ＣＤ−ＲＯＭ部５の穴部５ｂから露出している。また、その穴部５ｂの外側の領域においては、穴部５ｂの外周に沿うように、ＰＥＴ基材３，８を貫通した等間隔からなるミシン目４が形成されている。また、本形態においては、アンテナ２のうちミシン目４が形成された部分が、互いに並列に接続されるように複数線に分岐されており、図１（ｄ）に示すように、ミシン目４は、そのタイ部の幅が、この複数線に分岐されたアンテナ２のうち２本が入る幅となっている。なお、図１（ｄ）においては、ミシン目４が、そのカット部がアンテナ２を避けるように形成されているが、タイ部の幅が、この複数線に分岐されたアンテナ２のうち２本が入る幅となっていることにより、ミシン目４がその断続方向にずれた場合であっても、複数線に分岐されたアンテナ２のうち少なくとも１本にはカット部が形成されないことになる。また、複数線に分岐されたアンテナ２のうち少なくとも１本が切断されないような形状であれば、ミシン目４は等間隔に限らない。
【００２６】
以下に、上記のように構成されたポイントカード１０の製造方法について説明する。
【００２７】
図２は、図１に示したポイントカード１０の製造方法を説明するための図である。
【００２８】
まず、ＰＥＴ基材３上に、エッチングや蒸着、あるいは印刷等によって、一部が互いに並列に接続されるように複数線に分岐されたアンテナ２を形成する（図２（ａ））。
【００２９】
次に、ＰＥＴ基材３のアンテナ２が形成された面に、アンテナ２と接続されるようにＩＣチップ１を搭載し、導電性接着剤（不図示）を用いてＰＥＴ基材３に接着する。これにより、アンテナ２とＩＣチップ１とが電気的に接続され、インレット６が完成する（図２（ｂ））。
【００３０】
次に、中央部分に穴部５ｂを有するＣＤ−ＲＯＭ部５の情報読み取り面とは反対側の面に、アンテナ２が形成されるとともにＩＣチップ１が搭載された面を貼付面として、粘着剤９ａによってインレット６を貼付する（図２（ｃ））。この際、アンテナ２のうち複数線に分岐された部分のうち少なくとも一部が、ＣＤ−ＲＯＭ部５の穴部５ｂの外側に位置するようにインレット６をＣＤ−ＲＯＭ部５に貼付する。
【００３１】
次に、ＣＤ−ＲＯＭ部５のインレット６が貼付された面の全面に、インレット６及びＣＤ−ＲＯＭ部５を覆うように、粘着剤９ｂによってＰＥＴ基材８を貼付する（図２（ｄ））。
【００３２】
その後、ＰＥＴ基材８が貼付された側から、ＰＥＴ基材８及びインレット６を貫通するように、かつ、アンテナ２のうち複数線に分岐された部分に重なるようにミシン目４を形成する（図２（ｅ））。
【００３３】
なお、インレット６に対するＰＥＴ基材８の貼り付けは、上述したような工程にて行わず、インレット６がＣＤ−ＲＯＭ部５に貼付される前に行うことも考えられる。その場合、ミシン目４は、互いに貼付されたインレット６とＰＥＴ基材８とがＣＤ−ＲＯＭ部５に貼付される前や貼付された後に形成されることになる。
【００３４】
すなわち、図１に示したポイントカード１０の他の製造方法としては、まず、図２（ｂ）に示したように製造されたインレット６にＰＥＴ基材８を貼付し、ＰＥＴ基材８に貼付されたインレット６をＣＤ−ＲＯＭ部５に貼付し、その後、ＰＥＴ基材８が貼付された側から、ＰＥＴ基材８及びインレット６を貫通するようにミシン目４を形成することや、まず、インレット６にＰＥＴ基材８を貼付し、互いに貼付されたインレット６及びＰＥＴ基材８にミシン目４を形成し、その後、ＰＥＴ基材８に貼付されたインレット６をＣＤ−ＲＯＭ部５に貼付することが考えられる。
【００３５】
また、インレット６単体を非接触通信用基材として製造する場合は、上述したように、まず、ＰＥＴ基材３上に、一部が互いに並列に接続されるように複数線に分岐されたアンテナ２を形成し、次に、ＰＥＴ基材３のアンテナ２が形成された面に、アンテナ２と接続されるようにＩＣチップ１を搭載する。その後、アンテナ２が形成されるとともにＩＣチップ１が搭載されたＰＥＴ基材３に、ＰＥＴ基材３を貫通するように、かつ、アンテナ２のうち複数線に分岐された部分に重なるようにミシン目４を形成することになる。
【００３６】
さらに、このインレット６にＰＥＴ基材８を貼付する場合は、インレット６にＰＥＴ基材８を貼付した後に、インレット６側あるいはＰＥＴ基材８側から、インレット６及びＰＥＴ基材８を貫通するように、かつ、アンテナ２のうち複数線に分岐された部分に重なるようにミシン目４を形成することになる。
【００３７】
以下に、上述したポイントカード１０を用いたポイント還元方法について説明する。
【００３８】
図３は、図１に示したポイントカード１０を用いたポイント還元を行うシステムの一例を示す図である。
【００３９】
本例は図３に示すように、商品の購入等に応じたポイントカード１０を発行するポイントカード発行店舗２０に設置されたポイントカード発行機２１と、通信回線６０を介してポイントカード発行機２１と接続され、ポイントカード発行機２１にて発行されたポイントカード１０のポイント情報を登録、管理するポイント管理サーバ４０と、通信回線６０を介してポイント管理サーバ４０と接続され、ポイント管理サーバ４０にて管理されるポイント情報に基づいてポイントカード１０のポイントを還元するポイント還元店舗３０に設置されたポイント還元機３１と、ポイントカード１０のＣＤ−ＲＯＭ部５に記録された情報を読み取り、実行するためのパーソナルコンピュータ５０とから構成されている。
【００４０】
また、ポイントカード発行機２１は、ポイントカード１０が挿入されるポイントカード挿入部２２と、ポイントカード挿入部２２に挿入されたポイントカード１０のＩＣチップ１に予め書き込まれているカードＩＤをアンテナ２を介して非接触状態にて読み取る情報読取部２３と、ポイントカード発行店舗２０における商品の購入等に応じたポイント情報を入力するためのポイント入力部２４と、情報読取部２３にてポイントカード１０から読み取られたカードＩＤとポイント入力部２４を介して入力されたポイント情報とを通信回線６０を介してポイント管理サーバ４０に送信する通信部２５とから構成されている。
【００４１】
また、ポイント還元機３１は、ポイントカード１０が挿入されるポイントカード挿入部３２と、ポイントカード挿入部３２に挿入されたポイントカード１０のＩＣチップ１に予め書き込まれているカードＩＤをアンテナ２を介して非接触状態にて読み取る情報読取部３３と、情報読取部３３にてポイントカード１０から読み取られたカードＩＤを通信回線６０を介してポイント管理サーバ４０に送信するとともに、ポイント管理サーバ４０から送信されてきたポイント情報を受信する通信部３５と、通信部３５にて受信されたポイント情報を表示出力するポイント出力部３４とから構成されている。
【００４２】
まず、上記のように構成されたシステムにおいて、図１に示したポイントカード１０が発行される際の処理について説明する。
【００４３】
図４は、図３に示したシステムにおいて図１に示したポイントカード１０が発行される際の処理を説明するためのフローチャートである。
【００４４】
ポイントカード発行店舗２０において、客が商品等を購入すると、その購入代金に応じた情報がＣＤ−ＲＯＭ部５に書き込まれたポイントカード１０が、ポイントカード発行機２１のポイントカード挿入部２２に挿入される（ステップＳ１）。ここで、ポイントカード１０のＣＤ−ＲＯＭ部５においては、商品等の購入代金に応じたゲームや音楽等の情報が光学的情報記録部５ａに予め記録されており、商品等の購入代金に応じた種類のポイントカード１０がポイントカード挿入部２２に挿入されることになる。
【００４５】
ポイントカード１０がポイントカード挿入部２２に挿入されると、情報読取部２３において、ポイントカード１０のＩＣチップ１からカードＩＤがアンテナ２を介して非接触状態にて読み取られる（ステップＳ２）。これは、情報読取部２３からの電磁誘導によってアンテナ２に電流が流れ、この電流がＩＣチップ１に供給され、それにより、非接触状態において、ＩＣチップ１に書き込まれたカードＩＤが情報読取部２３に読み取られることによって実現される。また、このカードＩＤは、ＩＣチップ１毎に固有な識別情報として予め書き込まれているものであって、このカードＩＤによってポイントカード１０を識別することができる。また、この際、アンテナ２が形成されたＰＥＴ基材３には、上述したようにミシン目４が形成されているが、アンテナ２のうちミシン目４が形成された部分が、互いに並列に接続されるように複数線に分岐されており、さらに、ミシン目４のタイ部の幅が、この複数線に分岐されたアンテナ２のうち２本が入る幅となっているため、複数線に分岐されたアンテナ２のうち少なくとも１本は切断されることがなく、それにより、情報読取部２３にてポイントカード１０のＩＣチップ１からカードＩＤが確実に読み取ることができる。
【００４６】
また、ポイントカード発行店舗２０における商品の購入等に応じたポイント数等のポイント情報がポイントカード１０に付与されてポイント入力部２４を介して入力されると（ステップＳ３）、情報読取部２３にてポイントカード１０から読み取られたカードＩＤと、ポイント入力部２４を介して入力されたポイント情報とが通信部２５を介して送信される（ステップＳ４）。
【００４７】
その後、ポイントカード発行機２１の通信部２５から送信されたカードＩＤとポイント情報とは、通信回線６０を介してポイント管理サーバ４０にて受信され（ステップＳ５）、ポイント管理サーバ４０において、受信されたカードＩＤとポイント情報とが互いに対応づけて登録、管理される（ステップＳ６）。
【００４８】
なお、上述したポイントカード１０の発行処理においては、ポイントカード１０がポイントカード発行機２１に挿入された状態で、ポイントカード１０のＩＣチップ１に書き込まれたカードＩＤが読み取られているが、ポイントカード１０をポイントカード発行機２１に挿入せずに情報読取部２３に翳すことにより、ポイントカード１０のＩＣチップ１に書き込まれたカードＩＤを読み取ることも考えられる。
【００４９】
次に、図３に示したように構成されたシステムにおいてポイントカード１０に応じてポイントが還元される際の処理について説明する。
【００５０】
図５は、図３に示したシステムにおいて図１に示したポイントカード１０に応じてポイントが還元される際の処理を説明するためのフローチャートである。
【００５１】
ポイントカード発行店舗２０において発行されたポイントカード１０を取得した客がポイント還元店舗３０に来店し、そのポイントカード１０が、ポイント還元機３１のポイントカード挿入部３２に挿入されると（ステップＳ１１）、情報読取部３３において、ポイントカード１０のＩＣチップ１からカードＩＤがアンテナ２を介して非接触状態にて読み取られる（ステップＳ１２）。この際、アンテナ２が形成されたＰＥＴ基材３には、上述したようにミシン目４が形成されているが、アンテナ２のうちミシン目４が形成された部分が、互いに並列に接続されるように複数線に分岐されており、さらに、ミシン目４のタイ部の幅が、この複数線に分岐されたアンテナ２のうち２本が入る幅となっているため、上述したポイントカード１０の発行処理と同様に、複数線に分岐されたアンテナ２のうち少なくとも１本は切断されることがなく、それにより、情報読取部３３にてポイントカード１０のＩＣチップ１からカードＩＤが確実に読み取ることができる。
【００５２】
情報読取部３３にてポイントカード１０からカードＩＤが読み取られると、ポイントカード１０から読み取られたカードＩＤが通信部３５を介して送信される（ステップＳ１３）。
【００５３】
ポイント還元機３１の通信部３５から送信されたカードＩＤは、通信回線６０を介してポイント管理サーバ４０にて受信され（ステップＳ１４）、ポイント管理サーバ４０において、受信されたカードＩＤに対応づけて登録、管理されているポイント情報が検索され、送信される（ステップＳ１５）。ここで、ポイント管理サーバ４０にて登録、管理されているポイント情報は、上述したように、ポイントカード１０のＩＣチップ１に書き込まれたカードＩＤと対応づけて管理されているため、カードＩＤによって、そのカードＩＤが書き込まれたポイントカード１０に付与されたポイント情報を検索することができる。
【００５４】
ポイント管理サーバ４０から送信されたポイント情報は、通信回線６０を介してポイント還元機３１の通信部３５にて受信され（ステップＳ１６）、ポイント出力部３４を介して表示出力される（ステップＳ１７）。なお、ポイント還元機３１におけるポイント情報の出力は、ポイント出力部３４を介しての表示出力に限らず、レシート等を印字出力することによって行うことも考えられる。
【００５５】
その後、ポイント還元店舗３０において、ポイントカード１０を持参してきた客に対して、ポイント還元機３１から出力されたポイント情報に応じた景品等が渡される。
【００５６】
なお、上述したポイントカード１０に応じたポイントの還元処理においては、ポイントカード１０がポイント還元機３１に挿入された状態で、ポイントカード１０のＩＣチップ１に書き込まれたカードＩＤが読み取られているが、ポイントカード１０をポイント還元機３１に挿入せずに情報読取部３３に翳すことにより、ポイントカード１０のＩＣチップ１に書き込まれたカードＩＤを読み取ることも考えられる。
【００５７】
一方、ポイントカード発行店舗２０において発行されたポイントカード１０を取得した客が、上述したようなポイント還元店舗３０にてポイント還元を受けるのではなく、ポイントカード１０のＣＤ−ＲＯＭ部５に記録されたゲームや音楽等の情報を利用する場合は、取得したポイントカード１０をパーソナルコンピュータ５０に挿入し、パーソナルコンピュータ５０において、ポイントカード１０のＣＤ−ＲＯＭ部５に記録された情報を読み取り、実行することになる。その際、ポイントカード１０が図１に示したような形状のままでは、パーソナルコンピュータ５０に挿入することができない。そこで、ポイントカード１０のミシン目４を断裁してポイントカード１０の中央部に穴を形成し、パーソナルコンピュータ５０に挿入する。
【００５８】
図６は、図１に示したポイントカード１０のミシン目４を断裁した状態を示す図である。
【００５９】
図６に示すように、図１に示したポイントカード１０のミシン目４を断裁した場合、ミシン目４に囲まれた領域が切り取られ、それにより、ＣＤ−ＲＯＭ部５の穴部５ｂが貫通する。この際、ミシン目４は等間隔からなるものであるため、必要以上に力を加えなくてもミシン目４を断裁することができる。また、断裁部分においては、その断面がきれいなものとなる。また、この貫通した穴部５ｂには、ＩＣチップ１が設けられていたため、ＣＤ−ＲＯＭ部５に記録されたゲームや音楽等の情報を利用する場合は、ポイントカード１０からＩＣチップ１が切り離され、ＩＣチップ１に書き込まれたポイント情報を読み取ることができなくなる。
【００６０】
このようにして、図１に示したようなポイントカード１０を取得した客は、ポイントカード１０に付与されたポイント数に応じたポイント還元を受けるか、ＣＤ−ＲＯＭ部５に記録された情報を利用するかのいずれか一方を選択することになる。
【００６１】
なお、本形態においては、ポイントカード１０を発行する際に、ポイントカード１０のＩＣチップ１に書き込まれたカードＩＤとポイントカード１０に付与されたポイント情報とをポイント管理サーバ４０にて対応づけて管理しておき、その後、ポイントカード１０からカードＩＤが読み取られた際に、読み取られたカードＩＤに対応づけて管理されているポイント情報が検索されて出力される場合を例に挙げて説明したが、ポイントカード１０を発行する際に、ポイントカード１０に付与されたポイント情報をＩＣチップ１に書き込んでおき、ポイント還元を行う際に、ＩＣチップ１からポイント情報を読み取り、そのポイント情報に応じたポイント還元を行うことも考えられる。
【００６２】
また、ポイントカード１０のＰＥＴ基材８の表面に、リライト可能な紙基材を接着しておき、ポイントカード１０のカードＩＤや、利用方法、あるいはポイント数等を印字しておくことも考えられる。
【００６３】
また、本形態においては、ポイントカード発行機２１がポイントカード発行店舗２０に設置され、ポイント還元機３１がポイント還元店舗３０に設置されているが、ポイントカード発行機２１とポイント還元機３１とが同一の店舗に設置されていてもよい。
【００６４】
（第２の実施の形態）
図７は、本発明の非接触通信用基材の第２の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレット１０６の構造を示す図である。
【００６５】
本形態は図７に示すように、ベース基材となるＰＥＴ基材１０３上にブースターアンテナとなる非接触通信用のコイル状アンテナ１０２が形成されるとともに、送受信用アンテナ１０２ａを有してこの送受信用アンテナ１０２ａを介して非接触通信可能なＩＣチップ１０１がＰＥＴ基材１０３上に搭載されてなるインレット１０６が、光学的に情報が記録された光学的情報記録部１０５ａを有するＣＤ−ＲＯＭ部１０５と、ＰＥＴ基材１０８とに挟み込まれ、粘着剤１０９ａ，１０９ｂによってそれぞれに接着されて構成されている。これにより、インレット１０６のうち、アンテナ１０２の一部及びＩＣチップ１０１が設けられた領域が、ＣＤ−ＲＯＭ部１０５の穴部１０５ｂから露出している。また、その穴部１０５ｂの外側の領域においては、穴部１０５ｂの外周に沿うように、ＰＥＴ基材１０３，１０８を貫通したミシン目１０４が形成されている。また、本形態においては、アンテナ１０２のうちミシン目１０４が形成された部分が、互いに並列に接続されるように複数線に分岐されており、図１に示したものと同様に、ミシン目１０４は、そのタイ部の幅が、この複数線に分岐されたアンテナ１０２のうち２本が入る幅となっている。
【００６６】
上記のように構成されたポイントカード１１０においては、第１の実施の形態にて示したものと同様にして使用されることになるが、ここで、ＩＣチップ１０１における受信のしやすさを示す先鋭度Ｑにおいては、送受信用アンテナ１０２ａのインダクタンスと静電容量と抵抗成分とによって決まる。そのため、例えば、送受信用アンテナ１０２ａの導体径が大きくなった場合、先鋭度Ｑが高くなり、それにより、ＩＣチップ１０１の通信可能距離が延びることになる。本形態においては、ＰＥＴ基材１０３上にブースターアンテナとなるアンテナ１０２が形成されているため、このアンテナ１０２と送受信用アンテナ１０２ａとが電磁結合し、それにより、送受信用アンテナ１０２ａの見かけ上の導体径が大きくなり、先鋭度Ｑが高くなる。そのため、本形態においては、ＩＣチップ１０１は、送受信用アンテナ１０２ａ及びアンテナ１０２を介してカードＩＤやポイント情報が読み出されることになる。
【００６７】
また、本形態におけるポイントカード１１０においても、第１の実施の形態にて説明したような製造方法によって製造することが考えられる。
【００６８】
（第３の実施の形態）
図８は、本発明の非接触通信用基材の第３の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレット２０６の構造を示す図である。
【００６９】
本形態は図８に示すように、ベース基材となるＰＥＴ基材２０３上に非接触通信用のアンテナ２０２が形成されるとともに、このアンテナ２０２を介して非接触通信可能なＩＣチップ２０１がアンテナ２０２と接続されてＰＥＴ基材２０３上に搭載されてなるインレット２０６が、光学的に情報が記録された光学的情報記録部２０５ａを有するＣＤ−ＲＯＭ部２０５と、ＰＥＴ基材２０８とに挟み込まれ、粘着剤２０９ａ，２０９ｂによってそれぞれに接着されて構成されている。これにより、インレット２０６のうち、アンテナ２０２の一部が形成された領域が、ＣＤ−ＲＯＭ部２０５の穴部２０５ｂから露出している。また、その穴部２０５ｂの外側の領域においては、穴部２０５ｂの外周に沿うように、ＰＥＴ基材２０３，２０８を貫通したミシン目２０４が形成されている。また、本形態においては、アンテナ２０２のうちミシン目２０４が形成された部分が、互いに並列に接続されるように複数線に分岐されており、図１に示したものと同様に、ミシン目２０４は、そのタイ部の幅が、この複数線に分岐されたアンテナ２０２のうち２本が入る幅となっている。
【００７０】
上記のように構成されたポイントカード２１０においては、第１の実施の形態にて示したものと同様にして使用されることになるが、情報読取部２３，３３（図３参照）からの電波によってアンテナ２０２が共振し、それにより、ＩＣチップ２０１に電流が供給されてＩＣチップ２０１に書き込まれたカードＩＤが読み取られることになる。ここで、アンテナ２０２の長さは、アンテナ２０２がミシン目２０４によって断線されていない場合の長さが、９００ＭＨｚ帯の周波数に応答するものとなっており、また、アンテナ２０２がミシン目２０４によって断線し、ＩＣチップ２０１に接続された部分が短くなった場合の長さが、２．４５ＧＨｚ帯の周波数に応答するものとなっている。そのため、ＩＣチップ２０１からのカードＩＤの読み取り周波数を変えることによって、ポイント還元の際に客に渡す景品の種類を異ならせることが考えられる。例えば、９００ＭＨｚ帯の周波数でカードＩＤが読み取れた場合は、ミシン目２０４が断裁されていない、すなわち、ＣＤ−ＲＯＭ部２０５に記録された情報が利用されていないため、高価な景品を渡し、また、２．４５ＧＨｚ帯の周波数でカードＩＤが読み取れた場合は、ミシン目２０４が断裁されている、すなわち、ＣＤ−ＲＯＭ部２０５に記録された情報が利用されているため、廉価な景品を渡すこと等が考えられる。
【００７１】
また、本形態におけるポイントカード２１０においても、第１の実施の形態にて説明したような製造方法によって製造することが考えられる。
【００７２】
なお、上述した３つの実施の形態においては、ミシン目のタイ部の幅が、複数線に分岐されたアンテナのうち２本が入る幅となっているが、ミシン目がその断続方向にずれた場合であっても、複数線に分岐されたアンテナのうち少なくとも１本が完全に無傷であればよく、そのために、ミシン目のタイ部の幅が、複数線に分岐されたアンテナのうち少なくとも２本が入る幅となっていればよく、３本であっても、またはそれ以上であっても構わない。
【図面の簡単な説明】
【００７３】
【図１】本発明の非接触通信用基材の第１の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレットの構造を示す図、（ｄ）は（ａ）に示したＢ部拡大図である。
【図２】図１に示したポイントカードの製造方法を説明するための図である。
【図３】図１に示したポイントカードを用いたポイント還元を行うシステムの一例を示す図である。
【図４】図３に示したシステムにおいて図１に示したポイントカードが発行される際の処理を説明するためのフローチャートである。
【図５】図３に示したシステムにおいて図１に示したポイントカードに応じてポイントが還元される際の処理を説明するためのフローチャートである。
【図６】図１に示したポイントカードのミシン目を断裁した状態を示す図である。
【図７】本発明の非接触通信用基材の第２の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレットの構造を示す図である。
【図８】本発明の非接触通信用基材の第３の実施の形態となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレットの構造を示す図である。
【図９】ポイント還元に用いられる従来の非接触通信用基材の一例となるポイントカードを示す図であり、（ａ）はＣＤ−ＲＯＭ読み取り面側から見た図、（ｂ）は（ａ）に示したＡ−Ａ’断面図、（ｃ）は（ａ）に示したインレットの構造を示す図である。
【符号の説明】
【００７４】
１，１０１，２０１    ＩＣチップ
２，１０２，２０２    アンテナ
３，８，１０３，１０８，２０３，２０８    ＰＥＴ基材
４，１０４，２０４    ミシン目
５，１０５，２０５    ＣＤ−ＲＯＭ部
５ａ，１０５ａ，２０５ａ    光学的情報記録部
５ｂ，１０５ｂ，２０５ｂ    穴部
６，１０６，２０６    インレット
９ａ，９ｂ，１０９ａ，１０９ｂ，２０９ａ，２０９ｂ    粘着剤
１０，１１０，２１０    ポイントカード
２０    ポイントカード発行店舗
２１    ポイントカード発行機
２２，３２    ポイントカード挿入部
２３，３３    情報読取部
２４    ポイント入力部
２５，３５    通信部
３０    ポイント還元店舗
３１    ポイント還元機
３４    ポイント出力部
４０    ポイント管理サーバ
５０    パーソナルコンピュータ
６０    通信回線
１０２ａ    送受信用アンテナ
【図１】
2006209653.tif 000003
【図２】
2006209653.tif 000004
【図３】
2006209653.tif 000005
【図４】
2006209653.tif 000006
【図５】
2006209653.tif 000007
【図６】
2006209653.tif 000008
【図７】
2006209653.tif 000009
【図８】
2006209653.tif 000010
【図９】
2006209653.tif 000011